(57)【要約】本発明はユニキャスト無線ネットワーク及びブロードキャスト無線ネットワークを用いてインタラクティブサービスを提供するための方法及び装置を含む。方法は無線ユーザ端末において提示されたコンテンツとのユーザによる対話を示すコンテンツインタラクション情報を受信するステップ、少なくとも１つのサービスパラメータを取得するステップ、並びにコンテンツインタラクション情報及び少なくとも１つのサービスパラメータを用いてサービスを提供するステップを含み、サービスはユニキャスト無線ネットワーク及びブロードキャスト無線ネットワークの一方を用いて提供される。コンテンツインタラクション情報が受信されるコンテンツはブロードキャスト無線ネットワークを用いて無線ユーザ端末に提供され、コンテンツインタラクション情報はユニキャスト無線ネットワークを介して受信される。提供されるサービスは、修正されたコンテンツをブロードキャスト無線ネットワークを介して提供するステップ、個人化されたコンテンツをユニキャスト無線ネットワークを介して提供するステップ、ネットワークベースのサービスについてのプロキシを動作させるステップ等を含む。
2010524337.tif 000002
【特許請求の範囲】
【請求項１】
無線ネットワークにおいてインタラクティブサービスを提供するための方法であって、
無線ユーザ端末において提示されたコンテンツとのユーザによる対話を示すコンテンツインタラクション情報を受信するステップであって、該コンテンツがブロードキャスト無線ネットワークを介して該無線ユーザ端末に向けて提供され、前記コンテンツインタラクション情報がユニキャスト無線ネットワークを介して受信される、ステップ、
少なくとも１つのサービスパラメータを取得するステップ、及び
識別されたサービスを、該コンテンツインタラクション情報及び該少なくとも１つのサービスパラメータを用いて提供するステップであって、該ユニキャスト無線ネットワーク及び該ブロードキャスト無線ネットワークの一方を用いて該サービスが提供される、ステップ
を備える方法。
【請求項２】
請求項１の方法において、前記少なくとも１つのサービスパラメータを取得するステップが、
前記コンテンツインタラクション情報の少なくとも一部を用いて前記サービスを識別するステップ、
識別された該サービスに基づいて該少なくとも１つのサービスパラメータを識別するステップ、及び
識別された該少なくとも１つのサービスパラメータを取得するステップ
からなる方法。
【請求項３】
請求項１の方法において、前記少なくとも１つのサービスを実行するステップが、
前記コンテンツインタラクション情報からのユーザ選択を識別するステップ、
ユーザ選択集計を形成するために該ユーザ選択を他のユーザ端末に関連付けられた他のユーザ選択と集約するステップ、
該ユーザ選択集計を、前記ブロードキャスト無線ネットワークを介して該ユーザ端末に提供されたブロードキャストコンテンツと組み合わせるステップ、及び
組み合わされた該コンテンツを、該ブロードキャスト無線ネットワークを用いて該ユーザ端末に伝達するステップ
からなる方法。
【請求項４】
請求項１の方法において、前記少なくとも１つのサービスを実行するステップが、
ユーザ生成コンテンツを前記コンテンツインタラクション情報から抽出するステップ、及び
該ユーザ生成コンテンツを前記ブロードキャスト無線ネットワークを介して提供するステップ
からなる方法。
【請求項５】
請求項１の方法において、前記少なくとも１つのサービスを実行するステップが、
前記コンテンツインタラクション情報及び前記少なくとも１つのサービスパラメータを用いて、個人化されたコンテンツを識別するステップであって、該少なくとも１つのサービスパラメータが前記ユーザ端末の位置からなる、ステップ、及び
該個人化されたコンテンツを、前記ユニキャスト無線ネットワークを用いて該ユーザ端末に向けて提供するステップ
からなる方法。
【請求項６】
無線ネットワークにおいてインタラクティブサービスを提供するための装置であって、
無線ユーザ端末において提示されたコンテンツとのユーザによる対話を示すコンテンツインタラクション情報を受信する手段であって、該コンテンツがブロードキャスト無線ネットワークを介して該無線ユーザ端末に向けて提供されるものであり、前記コンテンツインタラクション情報がユニキャスト無線ネットワークを介して受信されるものである、手段、
少なくとも１つのサービスパラメータを取得する手段、及び
識別されたサービスを、該コンテンツインタラクション情報及び該少なくとも１つのサービスパラメータを用いて提供する手段であって、該ユニキャスト無線ネットワーク及び該ブロードキャスト無線ネットワークの一方を用いて該サービスが提供されるものである、手段
を備える装置。
【請求項７】
請求項６の装置において、前記少なくとも１つのサービスパラメータを取得する手段が、
前記コンテンツインタラクション情報の少なくとも一部を用いて前記サービスを識別する手段、
識別された該サービスに基づいて該少なくとも１つのサービスパラメータを識別する手段、及び
識別された該少なくとも１つのサービスパラメータを取得する手段
からなる装置。
【請求項８】
請求項６の装置において、前記少なくとも１つのサービスを実行する手段が、
前記コンテンツインタラクション情報からのユーザ選択を識別する手段、
ユーザ選択集計を形成するために該ユーザ選択を他のユーザ端末に関連付けられた他のユーザ選択と集約する手段、
該ユーザ選択集計を、前記ブロードキャスト無線ネットワークを介して該ユーザ端末に提供されたブロードキャストコンテンツと組み合わせる手段、及び
組み合わされた該コンテンツを、該ブロードキャスト無線ネットワークを用いて該ユーザ端末に伝達する手段
からなる装置。
【請求項９】
請求項６の装置において、前記少なくとも１つのサービスを実行する手段が、
前記コンテンツインタラクション情報及び前記少なくとも１つのサービスパラメータを用いて、個人化されたコンテンツを識別する手段であって、該少なくとも１つのサービスパラメータが前記ユーザ端末の位置からなるものである、手段、及び
該個人化されたコンテンツを、前記ユニキャスト無線ネットワークを用いて該ユーザ端末に向けて提供する手段
からなる装置。
【請求項１０】
ソフトウェアプログラムを記憶するコンピュータ可読媒体であって、コンピュータによって実行されるときに該コンピュータに以下の、
無線ユーザ端末において提示されたコンテンツとのユーザによる対話を示すコンテンツインタラクション情報を受信するステップであって、該コンテンツがブロードキャスト無線ネットワークを介して該無線ユーザ端末に向けて提供され、前記コンテンツインタラクション情報がユニキャスト無線ネットワークを介して受信される、ステップ、
少なくとも１つのサービスパラメータを取得するステップ、及び
識別されたサービスを、該コンテンツインタラクション情報及び該少なくとも１つのサービスパラメータを用いて提供するステップであって、該ユニキャスト無線ネットワーク及び該ブロードキャスト無線ネットワークの一方を用いて該サービスが提供される、ステップ
からなる方法を実行させるソフトウェアプログラムを記憶するコンピュータ可読媒体。
【発明の詳細な説明】
【技術分野】
【０００１】
本発明は通信ネットワークに関し、より具体的には無線ネットワークを介してインタラクティブサービスを提供することに関する。
【背景技術】
【０００２】
既存のセルラネットワークは双方向ユニキャストの機能をサポートする一方で、新たに出現したセルラネットワーク（例えば、第３世代パートナーシッププロジェクト（３ＧＰＰ）セルラネットワーク）は双方向ユニキャスト機能及びブロードキャスト機能の共存をサポートする。しかし、不都合なことに、そのような新たに出現したネットワークのブロードキャスト機能は個人化されていないコンテンツに制限され、さらに、固定されたスケジュールに従って個人化されていないコンテンツがユーザに配信されなければならない。
【発明の概要】
【課題を解決するための手段】
【０００３】
ユニキャスト無線ネットワーク及びブロードキャスト無線ネットワークを用いてインタラクティブサービスを提供するための方法及び装置の発明によって従来技術における種々の欠点が対処される。方法は、無線ユーザ端末において提示されたコンテンツとのユーザによる対話を示すコンテンツインタラクション情報を受信するステップ、少なくとも１つのサービスパラメータを取得するステップ、及びコンテンツインタラクション情報及び少なくとも１つのサービスパラメータを用いてサービスを提供するステップを含み、サービスはユニキャスト無線ネットワーク又はブロードキャスト無線ネットワークの一方を用いて提供される。コンテンツインタラクション情報が受信されるコンテンツがブロードキャスト無線ネットワークを用いて無線ユーザ端末に提供され、コンテンツインタラクション情報がユニキャスト無線ネットワークを介して受信される。提供され得るサービスは、修正されたコンテンツをブロードキャスト無線ネットワークを介して提供すること、個人化されたコンテンツをユニキャスト無線ネットワークを介して提供すること、ネットワークに基づくサービスに対するプロキシを動作させること等を含む。
【０００４】
本発明の教示は添付図面との関連で以降の詳細な説明を考慮することによって直ちに理解できる。
理解を促進するために、可能な場合は、図面に共通の同一の要素を指定するために同様の符号が使用される。
【図面の簡単な説明】
【０００５】
【図１】図１は通信ネットワークの上位ブロック図を示す。
【図２】図２は本発明の一実施例による方法を示す。
【図３】図３は図１の通信ネットワークの例示の実施形態の上位ブロック図を示す。
【図４】図４はここに記載される機能を実行する際の使用に適した汎用コンピュータの上位ブロック図を示す。
【発明を実施するための形態】
【０００６】
本発明は無線ネットワークのための拡張的なインタラクティブ（対話型）サービスを提供する。ユーザ端末において、ユーザは、ブロードキャスト無線ネットワーク上でユーザ端末に提供されるブロードキャストコンテンツと対話することができる。管理システムは１以上のユーザ端末から受信したコンテンツインタラクション情報に基づいて１以上のサービスを提供する。提供され得るサービスは修正されたコンテンツをブロードキャスト無線ネットワーク上で提供すること、個人化されたコンテンツをユニキャスト無線ネットワーク上で提供すること、ネットワークに基づくサービスに対してプロキシを動作させること等、その他これらの種々の組合せを含む。
【０００７】
図１は通信ネットワークの上位ブロック図を示す。具体的には、通信ネットワーク１００は複数のユーザ端末（ＵＴ）１０２１−１０２Ｎ（まとめてＵＴ１０２という）、ユニキャスト無線ネットワーク（ＵＷＮ）１１０、ブロードキャスト無線ネットワーク（ＢＷＮ）１２０、パケットデータサービングノード（ＰＤＳＮ）１３０、コアデータネットワーク（ＣＤＮ）１４０、複数のコンテンツサーバ（ＣＳ）１５０１−１５０Ｎ（まとめて、ＣＳ１５０という）、及びコンテンツインタラクション管理システム（ＣＩＭＳ）１６０を含む。ここに記載されるように、通信ネットワーク１００はインタラクティブサービスをサポートし、ＣＳ１５０からＵＴ１０２に伝搬したコンテンツとのＵＴ１０２のユーザによる対話に応答してＵＴ１０２にサービスを提供する。図１に関してさらに記載され、図２に関してさらに図示及び記載されるように、ＣＩＭＳ１６０はコンテンツインタラクションサービスを管理する。
【０００８】
図１に示すように、ＵＴ１０２はＵＷＮ１１０及びＢＷＮ１２０と通信する。ＵＴ１０２１−１０２ＮはＵＷＮ１１０から通信を受信し、それぞれの双方向無線リンク（ＢＷＬ）１１１１−１１１Ｎ（まとめてＢＷＬ１１１という）を用いて通信をＵＷＮ１１０に送信する。ＵＴ１０２１−１０２Ｎは一方向無線リンク（ＵＷＬ）１２１を用いてＢＷＮ１２０からブロードキャスト通信を受信する。ＵＷＬ１２１はＵＴ１０２によって共有されるブロードキャストリンクである。ＵＴ１０２はブロードキャストされているコンテンツを受信するためにＵＷＬ１２１に同調することができる。ＵＷＬ１２１は、特定のコンテンツが送信されているチャネルにＵＴ１０２が同調することができるように、ブロードキャストコンテンツの複数のチャネルをサポートすることができる。
【０００９】
ＵＷＮ１１０はＰＤＳＮ１３０と通信経路（ＣＰ）１３１を用いて通信する。ＰＤＳＮ１３０はＣＤＮ１４０と通信経路（ＣＰ）１３２を用いて通信する。ＢＷＮ１２０はＣＤＮ１４０と通信経路（ＣＰ）１３３を用いて通信する。一実施例では、ＢＷＮ１２０はＰＤＳＮ１３０と通信経路（ＣＰ）１３４を用いて通信することができる。ＰＤＳＮ１３０はＣＤＮ１４０と通信経路（ＣＰ）１３５を用いて通信する。ＣＳ１５０１−１５０ＮはＣＤＮ１４０とそれぞれの通信経路（ＣＰ）１５１１−１５１Ｎ（まとめてＣＰ１５１という）を用いて通信する。ＣＩＭＳ１６０はＣＤＮ１４０と通信経路（ＣＰ）１６１を用いて通信する。一実施例では、ＣＩＭＳ１６０は選択的にＵＷＮ１１０及び／又はＢＷＮ１２０と直接通信する。
【００１０】
ＣＳ１５０はコンテンツをＵＴ１０２に提供する。一実施例では、ＣＳ１５０はローカルに記憶されたコンテンツをＵＴ１０２に提供する。一実施例では、ＣＳ１５０は（例えば、他のコンテンツソースから受信された）遠隔入手可能なコンテンツをＵＴ１０２に提供することができる。ＣＳ１５０はブロードキャストコンテンツ（元のブロードキャストコンテンツともいい、コンテンツインタラクションサービス用に修正されたコンテンツを示す）をＢＷＮ１２０を介してＵＴ１０２に提供する。ＣＳ１５０はユニキャストコンテンツ（元のユニキャストコンテンツともいい、コンテンツインタラクションサービス用に修正されたコンテンツを示す）をＵＴ１０２に提供する。ＣＳ１５０はまた、修正された及び／若しくは追加のブロードキャストコンテンツ並びに／又は個人化されたユニキャストコンテンツ（即ち、コンテンツインタラクションサービス用に生成されたコンテンツ）を実施形態に応じてＵＴ１０２に提供することができる。
【００１１】
コンテンツ（例えば、元のブロードキャストコンテンツ、追加の及び／又は修正されたブロードキャストコンテンツ、元のユニキャストコンテンツ、個人化されたユニキャストコンテンツ等）はテキストコンテンツ、音声コンテンツ、画像コンテンツ、映像コンテンツ、マルチメディアコンテンツ等、その他これらの種々の組合せといった様々なタイプのコンテンツを含み得る。例えば、ＣＳ１５０によって提供されるコンテンツはテキストベースのコンテンツ（例えば、ニュースヘッドライン、天気の最新情報、株価等）、音声コンテンツ（例えば、オーディオクリップ、無線局のようなストリーミング音声等）、画像コンテンツ（例えば、静止画、アニメ画像等）、映像コンテンツ（例えば、ビデオクリップ、ストリーミング映像等）、マルチメディアコンテンツ（例えば、ストリーミングテレビ番組、オンデマンドテレビ番組等）、ソフトウェアアップデート等、その他これらの種々の組合せを含み得る。
【００１２】
一実施例では、ＣＳ１５０はコンテンツをＵＴ１０２に（ユニキャストコンテンツのための）ＵＷＮ１１０又は（ブロードキャストコンテンツのための）ＢＷＮ１２０を用いて直接提供することができる。一実施例では、ＣＳ１５０は、（実施形態に応じてコンテンツをＵＴ１０２にＵＷＮ１１０及びＢＷＮ１２０を用いて、及び選択的にＣＤＮ１４０を用いて）コンテンツをＣＩＭＳ１６０に提供することによってコンテンツをＵＴ１０２に間接的に提供することができる。ＣＳ１５０は、提供されているコンテンツのタイプ（例えば、音声対映像、ユニキャスト対ブロードキャスト等）、提供されているコンテンツの量、コンテンツが提供されるサービス品質、コンテンツが提供されるネットワークの実施形態（即ち、ＣＩＭＳ１６０がＣＳ１５０のためのプロキシ／キャッシュとして動作するか否か）等のファクタ、その他これらの種々の組合せといったファクタによって種々の異なるコンテンツフォーマットを用いてコンテンツをＵＴ１０２に提供することができる。
【００１３】
ＣＤＮ１４０は本発明のサポートにおいて通信（例えば、ＣＳ１５０からＵＴ１０２への元のブロードキャスト及びユニキャストコンテンツの通信、ＵＴ１０２からＣＩＭＳ１６０へのコンテンツインタラクション情報の通信、ＣＩＭＳ１６０からＵＴ１０２への修正された及び／又は追加のブロードキャストコンテンツ、個人化されたユニキャストコンテンツ等、その他これらの種々の組合せ）を促進する。例えば、ＣＤＮ１４０は、例えば、公衆データネットワーク（例えば、インターネット）、プライベートデータネットワーク等、その他これらの種々の組合せといった任意のパケットに基づくネットワークであればよい。ＰＤＳＮ１３０は無線アクセスネットワークとコアデータネットワークの間（例示的に、ＵＷＮ１１０とＣＤＮ１５０の間、ＢＷＮ１２０とＣＤＮ１５０の間）の通信を促進し、無線アクセスネットワークＵＷＮ１１０及びＢＷＮ１２０とＣＤＮ１５０の間のアクセスポイントとして動作する。
【００１４】
ＵＷＮ１１０はＵＴ１０２に対する双方向ユニキャスト通信をサポートする。ＵＷＮ１１０は、説明の明確化のために省略した部材の中でもとりわけ、ユニキャスト基地局（ＵＢＳ）１１２及び無線ネットワークコントローラ（ＲＮＣ）１１４を含む。ＵＷＮ１１０はＢＷＬ１１１を（フォワード無線リンクとして）用いてＵＴ１０２へのコンテンツのダウンストリーム通信をそれぞれサポートする。コンテンツは、元のユニキャストコンテンツ、コンテンツインタラクションサービスの一部として提供される個人化されたユニキャストコンテンツ等、その他これらの種々の組合せといったあらゆるコンテンツを含み得る。ＵＷＮ１１０はＢＷＬ１１１を（リバース無線リンクとして）用いてＵＴ１０２からのコンテンツインタラクション情報のアップストリーム通信をそれぞれサポートする。例えば、ＵＷＮ１１０はＣＤＭＡ２０００に基づくＥＶＤＯ無線ネットワークとすることができる。
【００１５】
ＢＷＮ１２０はＵＴ１０２に対する一方向ブロードキャスト通信をサポートする。ＢＷＮ１２０は、説明の明確化のために省略した部材の中でもとりわけ、ブロードキャスト基地局（ＢＢＳ）１２２（例えば、コントローラ、サーバ、又はＢＷＮ１２０からのコンテンツのブロードキャストを制御することができる同様の部材）を含む。ＢＷＮ１２０はＵＷＬ１２１を用いてＵＴ１０２へのコンテンツのブロードキャストをサポートし、それによって、ＵＴ１０２が異なるコンテンツを受信するために異なるブロードキャストチャネルに同調することができるように１以上のブロードキャストチャネルをサポートすることができる。具体的には、ＢＷＮはＵＴ１０２へのコンテンツのブロードキャストをサポートする。ここに記載するように、コンテンツは元のブロードキャストコンテンツ、コンテンツインタラクションサービスの一部として提供される修正された及び／又は追加のブロードキャストコンテンツ等、その他これらの種々の組合せを含み得る。例えば、ＢＷＮ１１０はＭｅｄｉａＦＬＯブロードキャスト無線ネットワークとすることができる。
【００１６】
ＵＴ１０２は無線通信をサポートする端末等である。ＵＴ１０２は双方向ユニキャスト通信をＵＷＮ１１０を介してサポートし、ＢＷＬ１１１を用いてＵＷＮ１１０を介して情報を送信及び受信等する。ＵＴ１０２はコンテンツリクエスト、コンテンツインタラクション情報等を、ＵＷＮ１１０を用いて送信する。ＵＴ１０２はユニキャストコンテンツその他情報を、ＵＷＮ１１０を用いて受信する。ユニキャストコンテンツは元のユニキャストコンテンツ、コンテンツインタラクションサービスの一部として提供された個人化されたユニキャストコンテンツ等を含み得る。ＵＴ１０２はＢＷＮ１２０からの一方向ブロードキャスト通信をサポートし、ＵＷＬ１２１を用いてＢＷＮ１２０を介して情報を受信することを含む。ＵＴ１０２はＢＷＮ１２０からのブロードキャストコンテンツを受信する。ブロードキャストコンテンツは元のブロードキャストコンテンツ、コンテンツインタラクションサービスの一部として提供された修正された及び／又は追加のブロードキャストコンテンツ等を含み得る。
【００１７】
ＵＴ１０２はコンテンツをリクエストし、コンテンツを受信し、コンテンツを提示し、提示されたコンテンツと対話し、及び同様の機能を実行するための手段を提供する。例えば、ＵＴ１０２の各々は、関連のユーザがコンテンツサービスを予約すること、コンテンツをリクエストすること、提示されたコンテンツと対話すること等、その他これらの種々の組合せを可能とする１以上のユーザインターフェイス（例えば、ボタン、キーパッド等）を含む。ＵＴ１０２は受信されたコンテンツを提示するための手段を提供する。例えば、ＵＴ１０２の各々は関連のユーザがコンテンツを検討することを可能とする１以上のユーザインターフェイス（例えば、スクリーン、スピーカ等）を含む。例えば、ＵＴ１０２は移動体電話機、パーソナルデジタルアシスタント等といった無線ユーザ端末を含み得る。
【００１８】
ＣＩＭＳ１６０はコンテンツインタラクションサービスを管理する。ＣＩＭＳ１６０はＵＴ１０２からのコンテンツインタラクション情報を受信する。コンテンツインタラクション情報はコンテンツとのユーザインタラクションから引き出されたあらゆる情報を含み得る。ＣＩＭＳ１６０は１以上のコンテンツインタラクションサービスを、コンテンツインタラクション情報及び少なくとも１つのサービスパラメータ（例えば、コンテンツインタラクション情報が受信されるユーザ端末の位置、コンテンツインタラクション情報が受信されるユーザ端末に対応付けられるユーザについての嗜好情報等、その他これらの種々の組合せ）を用いて提供する。ＣＩＭＳ１６０は多数の異なるコンテンツインタラクションサービスを管理できる。コンテンツインタラクションサービスの管理におけるＣＩＭＳ１６０の動作は図２に関してよりよく理解できる。
【００１９】
図２に本発明の一実施例による方法を示す。具体的には、図２の方法２００はユーザ端末に１以上のコンテンツインタラクションサービスを提供するための方法を含む。１つのユーザ端末に関して図示及び記載するが、１以上のコンテンツインタラクションサービスは複数のユーザ端末に提供され得る。直列的に実行されるものとして記載するが、図２の方法２００の各ステップの少なくとも一部分が同時に、又は図２について図示及び記載されるのと異なる順序で実行されてもよい。方法２００はステップ２０２で始まり、ステップ２０４に進む。
【００２０】
ステップ２０４において、コンテンツインタラクション情報が受信される。コンテンツインタラクション情報はユーザ端末から受信される。コンテンツインタラクション情報は、ユーザ端末に提示されるコンテンツとのユーザ端末ユーザによる対話に基づいてユーザ端末で生成される。コンテンツインタラクション情報はユーザ端末から、そのユーザ端末をサービングするユニキャスト無線ネットワークを介して受信される。コンテンツインタラクション情報はユーザ端末で提示されているコンテンツについての情報、コンテンツの提示中の１以上のユーザインターフェイスの使用についての情報、アプリケーションコンテキスト情報等、その他これらの種々の組合せを含み得る。
【００２１】
例えば、ユーザインタラクション情報は提示されているコンテンツ（例えば、聴いているラジオチャンネル、視聴しているテレビ局といったユーザ端末で提示されているチャンネル等）、提示されているコンテンツ、提示されているコンテンツのタイプ（例えば、テキスト、音声、映像等）等、その他これらの種々の組合せのソースを識別することができる。例えば、ユーザインタラクション情報はユーザ端末上で押されたキー及びユーザ端末上で押されたキーの結果、つまりそのようなキー操作に応じてユーザ端末上で実行される動作、そのようなキー操作に応じて起動されるリクエスト等、その他これらの種々の組合せを識別することができる。ここに記載するように、そのようなコンテンツインタラクション情報は単なる例示であり、即ち、より少ない又は多いコンテンツインタラクション情報が受信され得る。
【００２２】
ステップ２０６において、１以上のサービスパラメータが取得される。一実施例では、同じサービスパラメータが常に取得される。一実施例では、取得されるサービスパラメータが受信コンテンツインタラクション情報の少なくとも一部に依存するようにしてもよい。一実施例では、取得されるサービスパラメータが、リクエストされたコンテンツインタラクションサービス（コンテンツインタラクション情報で明示的にリクエストされたもの、又は受信されたコンテンツインタラクション情報に基づいて特定されたもの）に依存するようにしてもよい。例えば、サービスパラメータはユーザ端末位置情報、ユーザ嗜好情報等のサービスパラメータ、その他これらの種々の組合せを含み得る。
【００２３】
一実施例では、ユーザ端末位置情報はユーザ端末のネットワーク位置を含み得る。ユーザ端末のネットワーク位置はユーザ端末が位置するセルラ領域を識別することができ、選択的に、そのセルラ領域をサービングするユニキャスト無線ネットワーク及び／又はブロードキャスト無線ネットワークを識別する。例えば、ネットワーク位置情報は、コンテンツインタラクションサービスをそのネットワーク上で提供するためのユニキャスト無線ネットワーク又はブロードキャスト無線ネットワークを識別するために使用することができる。例えば、ネットワーク位置情報は（例えば、コンテンツをセルラ領域（群）に対してユニキャスト無線ネットワークを介して提供するのか、ブロードキャスト無線ネットワークを介して提供するのかを決定するために）同じセルラ領域又は同じセルラ領域のグループのユーザ端末から受信されたコンテンツインタラクション情報を合成するのに使用できる。
【００２４】
一実施例では、ユーザ端末位置情報はユーザ端末の地理位置を含み得る。ユーザ端末の地理位置は、ユーザ端末が位置する地理領域を識別し、選択的に、その地理領域をサービングするユニキャスト無線ネットワーク及び／又はブロードキャスト無線ネットワークを識別することができる。例えば、地理位置情報は、個人化されたコンテンツ（地域の天気、地域の広告等）をユーザ端末に提供するために使用できる。例えば、この地理位置情報は（例えば、ユーザがそれぞれのユーザ端末において彼らが視聴しているコンテンツに応じて投票している場合に）投票統計を、例えば、地域別、州別、国別等、その他これらの種々の組合せといった種々の尺度で集計するのに使用できる。
【００２５】
ユーザ嗜好情報はユーザに関連付けられた、ユーザの嗜好を示すあらゆる情報を含む。例えば、ユーザ嗜好情報はユーザプロファイル情報、ユーザによって予約された又はユーザに利用可能な１以上のコンテンツインタラクションサービス、ユーザによって予約された又はユーザに利用可能な１以上の他のサービス、ユーザによって予約された特定のコンテンツ、異なるサービス及び／又はコンテンツがユーザに提供されるべき１以上のサービスレベル、コンテンツをユーザに提供することに関する細目（例えば、フォーマット、サービス品質、優先度等）等、その他これらの種々の組合せを含み得る。
【００２６】
サービスパラメータは１以上のネットワーク部材から取得することができる。一実施例では、例えば、ＣＩＭＳ１６０はサービスパラメータの少なくとも一部を１以上のネットワーク部材から（例えば、ＰＤＳＮ１３０、ＲＣＮ１１４、ＵＢＳ１１２、ＵＴ１０２等、その他これらの種々の組合せの１以上から）遠隔的に取得することができる。説明の明瞭化のために省略したが、状態情報が、ホームロケーションレジスタ（ＨＬＲ）、ユーザ嗜好データベース、ユーザプロファイルデータベース、ユーザサービス加入データベース等その他これらの種々の組合せといった説明の明瞭化のために省略した１以上の他のネットワーク部材から遠隔的に取得され得る。
【００２７】
ＣＩＭＳ１６０がサービスパラメータをローカル的に取得する一実施例では、サービスパラメータはＣＩＭＳ１６０に直接記憶されてもよいし（例えば、ＣＩＭＳ１６０で保持される情報）、及び／又は間接的に記憶されてもよい（例えば、ＣＩＭＳ１６０に、周期的に又はＣＩＭＳ１６０からのリクエストに応じて非周期的に転送される、ネットワーク内の他の部材で記憶されたサービスパラメータ等）。ＣＩＭＳ１６０が１以上の既存のネットワーク部材に（スタンドアロンシステムとして実装されるのではなく、例えば、ＰＤＳＮ１３０、ＲＮＣ１１４、ＢＴＳ１１２等の１以上に）実装される一実施例では、ＣＩＭＳ１６０は、ＣＩＭＳ１６０が実装されるネットワーク部材に従って、種々のタイプのサービスパラメータをローカルに取得することができる。１以上の既存ネットワーク部材上でのＣＩＭＳ１６０の実施形態が図３に関して図示され、ここに記載される。
【００２８】
ＣＩＭＳ１６０がサービスパラメータを遠隔的に取得する一実施例では、ＣＩＭＳ１６０はサービスパラメータを１以上のネットワーク部材から取得できる。例えば、ユーザ端末位置情報は無線ネットワークコントローラ（ＲＮＣ）、ホームロケーションレジスタ（ＨＬＲ）、グローバル測位システム（ＧＰＳ）等、その他これらの種々の組合せから取得できる。例えば、ユーザ嗜好情報はユーザ嗜好データベース、ユーザプロファイルデータベース、ユーザサービス加入データベース、コンテンツインタラクション管理システム（例示的にはＣＩＭＳ１６０）等、その他これらの種々の組合せから取得できる。サービスパラメータはそのような情報が入手可能なあらゆるネットワーク部材から取得できる。本発明によって提供されるコンテンツインタラクションサービスは、そのようなサービスを提供するのに使用されるサービスパラメータのソースによって制限される。
【００２９】
ステップ２０８において、コンテンツインタラクションサービスが提供される。提供され得るコンテンツインタラクションサービスは受信コンテンツインタラクション情報の一部として明示的に識別されることができる。提供され得るコンテンツインタラクションサービスはコンテンツインタラクション情報を処理することによって、及び、選択的に、サービスパラメータの１以上といった関連する情報を処理することによって特定される。コンテンツインタラクションサービスは（コンテンツインタラクションサービスによって）１以上のユニキャスト無線ネットワーク、１以上のブロードキャスト無線ネットワーク等、その他これらの種々の組合せを用いて提供され得る。本発明によって無数のコンテンツインタラクションサービスが提供され得るが、そのような本発明によって可能となるコンテンツインタラクションサービスのサンプリングを提供する目的について例示のコンテンツインタラクションサービスが記載される。
【００３０】
提供され得る第１のコンテンツインタラクションサービスは、ブロードキャスト無線ネットワークを介して配信される元のブロードキャストコンテンツの修正である。元のブロードキャストコンテンツの修正はコンテンツインタラクション情報及び少なくとも１つのサービスパラメータを用いて実行される。元のブロードキャストコンテンツの修正は追加のコンテンツを用いてブロードキャストコンテンツを修正すること（例えば、修正されたブロードキャストコンテンツを形成するために元のブロードキャストコンテンツに結合される追加のコンテンツを生成すること）、追加のコンテンツを用いることなくブロードキャストコンテンツを修正すること（例えば、リアルタイムユーザの割合に基づいてブロードキャストコンテンツに影響を及ぼすこと）、ユーザによって生成されたコンテンツを収集してブロードキャストすること等、その他これらの種々の組合せを含み得る。
【００３１】
一実施例では、元のブロードキャストコンテンツの修正は追加のコンテンツを用いて元のブロードキャストコンテンツを修正することを含む。追加のコンテンツはコンテンツインタラクション情報から生成されたコンテンツ、及び、選択的に、１以上のサービスパラメータである。追加のコンテンツは元のブロードキャストコンテンツに結合されて修正ブロードキャストコンテンツを形成し、それがブロードキャスト無線ネットワークを介してユーザ端末に提供される。追加のコンテンツは、ブロードキャスト無線ネットワークを介して提供される（又は提供されるようにスケジューリングされる）ブロードキャストコンテンツを修正するためにブロードキャスト無線ネットワークを介して提供される（又は提供されるようにスケジューリングされる）元のブロードキャストコンテンツと結合されることができるあらゆるコンテンツを含み得る。
【００３２】
一実施例では、例えば、追加のコンテンツは投票データ等である。例えば、投票データはラジオ局でかけられるお気に入りの曲に投票するユーザ、テレビ番組で投票する（例えば、テレビ番組の賛成又は反対の意思表示を投票する）ユーザ等からの集計票等があげられる。同様に、一実施例では、例えば、追加のコンテンツはクイズ統計等である。例えば、クイズ統計は、種々の質問に対してユーザが選択する回答のパーセンテージを表示するためにユーザから（例えば、オンラインクイズゲームでの質問に答えるユーザ、ラジオ又はテレビ番組での質問に応えるユーザ等から）受信された回答の集計を含み得る。
【００３３】
一実施例では、例えば、追加のコンテンツは、他のユーザに対するブロードキャストが意図される、ユーザによって生成されたコンテンツ（ユーザ生成コンテンツという）を含み得る。例えば、追加のユーザ生成コンテンツは、テレビ番組が表示されるとユーザメッセージがディスプレイを横断してスクロールするように、テレビ番組に結合され得るユーザからのメッセージを含み得る。例えば、賞金番組中に、ユーザは彼らのお気に入りの出演者についてのテキストメッセージを提出することができ、テキストメッセージはディスプレイの下に横断してスクロールすることになる。例えば、追加のユーザ生成コンテンツはユーザ作成オーディオクリップ、ユーザ作成ビデオクリップ等、その他これらの種々の組合せを含むことができる。
【００３４】
一実施例では、コンテンツインタラクション情報を集約することによって追加のコンテンツが形成される場合、追加のコンテンツは、サービスパラメータの少なくとも一部に基づいてコンテンツインタラクション情報を集約することによって形成され得る。例えば、コンテンツインタラクション情報（例えば、投票、クイズ統計等）はコンテンツインタラクション情報が発生する地理領域（コンテンツインタラクション情報が受信されるユーザ端末に対応付けられる地理位置情報から特定される）に基づいて表示用に集約され得る。同様に、例えば、集約されたコンテンツインタラクション情報はコンテンツインタラクション情報が発生する地理領域に基づいて表示されることができる。（例えば、ある地理領域内のユーザからの投票があるブロードキャスト無線ネットワークを用いて表示される一方で、他の地理領域内のユーザからの投票が他のブロードキャスト無線ネットワークを用いて表示される）。
【００３５】
修正されたブロードキャストコンテンツのブロードキャスト無線ネットワークを介した形成及び分配は多くの技術を用いて実行され得る。一実施例では、ＣＩＭＳ１６０はコンテンツインタラクション情報及び１以上のサービスパラメータを用いて追加のコンテンツを生成する。ＣＩＭＳ１６０がＣＳ１５０のプロキシとして動作する一実施例では、ＣＩＭＳ１６０は追加のコンテンツをＣＳ１５０からの元のブロードキャストコンテンツと結合して修正ブロードキャストコンテンツを形成し、ＢＷＮ１１０を用いて修正ブロードキャストコンテンツをＵＴ１０２に対して提供する。ＣＩＭＳ１６０がＣＳ１５０のプロキシとして動作する他の実施例では、ＣＩＭＳ１６０は追加のコンテンツを、関連する元のブロードキャストコンテンツが提供されるＣＳ１５０の１つに提供し、ＣＳ１５０はＣＩＭＳ１６０からの追加のコンテンツを元のブロードキャストコンテンツに結合して修正ブロードキャストコンテンツを形成し、ＢＷＮ１２０を用いて修正ブロードキャストコンテンツをＵＴ１０２に対して提供する。
【００３６】
一実施例では、ブロードキャストコンテンツは追加のコンテンツを付加することなく修正されることができる。そのような実施例では、例えば、ブロードキャストコンテンツがリアルタイムユーザの割合に基づいて影響を受ける。一例では、ラジオ局を聴くユーザは、多くの票を受ける曲が少ない票を受ける曲よりも回数多くかけられるように、曲に投票することができる。他の例では、テレビ番組を観るユーザは、テレビ番組の結末を決定するために投票することができるように、番組の結末の選択を与えられることができる。特定の例について記載したが、種々の他のタイプのブロードキャストコンテンツが追加のコンテンツを付加することなく様々な他の態様で修正され得る。
【００３７】
一実施例では、ユーザ生成コンテンツはブロードキャスト無線ネットワークを介して収集され、ブロードキャストされる。ユーザ生成コンテンツはあらゆるコンテンツを含み得る。例えば、ユーザ生成コンテンツはテキストベースのコンテンツ（例えば、記事、物語、その他ユーザによって書かれたもの）、画像（例えば、ユーザによって撮られた写真、ユーザによって製作された芸術作品のスキャン等）、音声コンテンツ（例えば、曲、演説、その他ユーザによって録音されたもの）、映像コンテンツ（例えば、ビデオ、映画、その他ユーザによって録画されたもの）等、その他これらの種々の組合せを含み得る。特定の例について記載したが、種々の他のタイプのユーザ生成コンテンツがブロードキャスト無線ネットワーク上で収集及びブロードキャストされ得る。
【００３８】
提供される第２のコンテンツインタラクションサービスは個人化されたコンテンツをユニキャスト無線ネットワークを介して提供するものである。ユニキャスト無線ネットワークを介してユーザ端末に提供される個人化されたコンテンツは、そのユーザ端末から受信されたコンテンツインタラクション情報、そのユーザ端末に対応付けられた位置情報、及び、選択的に、１以上の他のサービスパラメータに基づいて選択される。例えば、一実施例では、個人化された情報の少なくとも一部がユーザ嗜好情報を用いて特定される。例えば、個人化されたコンテンツは地域の広告、地域のニュース、地域の天気、地域の交通、地域の案内広告、地域の個人広告等、その他これらの種々の組合せを含む。個人化されたコンテンツは、例えば、テキスト、音声、映像、マルチメディア等、その他これらの種々の組合せといったあらゆるタイプのコンテンツとなる。
【００３９】
ここに記載するように、個人化されたコンテンツはユーザ端末から受信されたコンテンツインタラクション情報を用いて選択される。例えば、ユーザが自動車に関するテレビ番組を観ていることをコンテンツインタラクション情報が示す場合、そのコンテンツインタラクション情報及びユーザ端末の地理位置に基づいて地域の自動車ディーラーについての広告が選択され得る。例えば、ユーザが採用についてのニュース記事を読んでいることをコンテンツインタラクション情報が示す場合、コンテンツインタラクション情報及びユーザ端末の地理位置に基づいて地域の求人リストが選択され得る。幾つかの特定の例について記載したが、あらゆる個人化されたコンテンツがコンテンツインタラクション情報及び１以上のサービスパラメータを用いて選択され得る。
【００４０】
ＣＩＭＳ１６０がＣＳ１５０についてのプロキシとして動作する一実施例では、ＣＳ１５０は個人化されたコンテンツをＣＩＭＳ１６０に提供し、それは個人化されたコンテンツをＵＷＮ１１０を介してＵＴ１０２の１つ（即ち、その１つのＵＴ１０２からコンテンツインタラクションが受信された、ＵＴ１０２）に向けて伝達する。コンテンツがＣＳ１５０（等、その他これらの種々の組合せ）で利用可能となると、ＣＩＭＳ１６０からのリクエストに応じてＣＳ１５０は個人化されたコンテンツをＣＩＭＳ１６０に提供する。ＣＩＭＳ１６０がＣＳ１５０についてのプロキシとして動作しない一実施例では、ＣＳ１５０の１以上は個人化されたコンテンツをＵＷＮ１１０を介してＵＴ１０２の１つ（即ち、その１つのＵＴ１０２からコンテンツインタラクションが受信された、ＵＴ１０２）に向けて伝達する。コンテンツがＣＳ１５０（等、その他これらの種々の組合せ）で利用可能となると、ＣＩＭＳ１６０からのリクエストに応じてＣＳ１５０は個人化されたコンテンツをＵＴ１０２に提供する。
【００４１】
サポートされ得る第３のコンテンツインタラクションサービスはプロキシサービスであり、ここではプロキシはユーザ端末に利用可能な１以上のネットワークベースのサービスにインターフェイスを提供する。ユーザ端末に提供されるネットワークベースのサービスはコンテンツインタラクション情報及び、選択的に、サービスパラメータの少なくとも１つに基づいて選択される。一実施例では、ネットワークベースのサービスに関連付けられる情報は、ネットワークベースのサービス（その他ネットワークベースのサービス及び可能性ある何らかの他のファクタ）によってユニキャスト無線ネットワーク又はブロードキャスト無線ネットワークを用いてユーザ端末に提供され得る。一実施例では、例えば、プロキシはｅ−ｃｏｍｍｅｒｃｅポータルとしてサービングすることができる。そのような例では、プロキシは、複数の異なるベンダに対して課金することをサポートする統一されたポータルを提供することができる。
【００４２】
一実施例では、ＣＩＭＳ１６０がプロキシサービスを提供する（即ち、ＣＩＭＳ１６０がネットワークベースのサービスについてのプロキシとして動作する）。他の実施例では、１以上の他のネットワーク部材（即ち、単数のプロキシ又は複数のプロキシ）がプロキシサービスを提供する。この実施例では、ＣＩＭＳ１６０はプロキシサービスに対するリクエスト（例えば、コンテンツインタラクション情報及び、選択的に、サービスパラメータの少なくとも一部）を識別することに応じて、そのリクエストにサービスするよう構成された単一のプロキシ又は複数のプロキシにプロキシサービスのリクエストを方向付ける。そのような一実施例では、プロキシは再方向付けされたリクエストを間接的に（即ち、そのＣＩＭＳからリクエストが方向付けられたＣＩＭＳ１６０を介して通信を逆方向に戻すことによって）サービスする。そのような他の実施例では、プロキシは再方向付けされたリクエストを直接（即ち、そのＣＩＭＳからリクエストが方向付けられたＣＩＭＳ１６０を使用することなく）サービスする。
【００４３】
特定のコンテンツインタラクションサービス（例えば、追加のコンテンツを用いること、追加のコンテンツを付加することなくブロードキャストコンテンツに影響を与えること、プロキシサービスを提供すること等によるブロードキャストコンテンツの修正）に関して主に図示及び記載したが、種々の他のコンテンツインタラクションサービスが本発明を用いて提供され得る。他のコンテンツインタラクションサービスはユニキャスト無線ネットワーク、ブロードキャスト無線ネットワーク、並びにユニキャスト及びブロードキャスト無線ネットワークの組合せを用いて提供され得る。他のコンテンツインタラクションサービスはまた、ユニキャストブロードキャストネットワーク及び／又はブロードキャスト無線ネットワークを用いる通信を含むことも含まないこともある他の形式のネットワークベースのサービスを含む。
【００４４】
ここでは１つのユーザ端末に関して主に図示及び記載したが、上記の例示的コンテンツインタラクションサービスから幾つかのコンテンツインタラクションサービスが複数のユーザ端末に提供され得ることは明らかである。例えば、ユーザ端末のグループ（セルラ領域、検討されているコンテンツ等その他これらの種々の組合せに基づいてグループ化され得る）における各ユーザ端末からのコンテンツインタラクション情報がコンテンツインタラクションサービスを提供するために集約され得る。例えば、ユーザの選択（例えば、投票データ、クイズデータ等）はユーザ端末のグループに基づいて集約され、ユーザの選択はユーザ端末のグループに基づいて分配される等、その他これらの種々の組合せが行われ得る。
【００４５】
図１に示すように、ＣＩＭＳ１６０は通信ネットワーク１００に一般に対応付けられるものとして図示及び記載される。具体的には、図１に関して図示及び記載するように、ＣＩＭＳ１６０はＣＤＮ１４０との通信状態においてスタンドアロンシステムとして配備される。図１の実施シナリオに関して主に図示及び記載したが、種々の他の実施シナリオが本発明によって使用され得る（その幾つかの例は図３に関して図示及び記載される）。図３は例示の実施シナリオ（図１に関して図示及び記載したＣＩＭＳ１６０の実施の代替シナリオ）の上位ブロック図である。
【００４６】
図３に示すように、（図３の通信ネットワーク３１０として図示した）一実施例では、ＣＩＭＳ１６０はＣＤＮ１４０内で実施され得る。そのような一実施例では、ＣＩＭＳ１６０はＣＤＮ１４０内でホスティングされるスタンドアロンシステムとして実施され得る。そのような他の実施例では、ＣＩＭＳ１６０はＣＤＮ１４０内の１以上の既存システム上で共に配置され得る。そのようなネットワーク要素が動作する既存のネットワーク要素又は既存の規格への変更は必要ではなく、ユーザ移動／ローミングのような問題が簡単に対処されるが、図３に関してここに図示及び記載された他の実施シナリオはより良いネットワーク性能（より良いバックホールリソース利用及びより良いエアリンクリソース利用）及びユーザ経験を提供することができる。
【００４７】
図３に示すように、（図３の通信ネットワーク３２０として図示した）一実施例では、ＣＩＭＳ１６０はＵＷＮ１１０内でホスティングされるスタンドアロンシステムとして実施され得る（ＵＷＮ１１０からのフィードバックを受信する）。そのような実施例では、コンテンツはルーティングエリア内のいずれかにあるユーザ端末に送信され、既存のネットワーク要素（例えば、ＢＳ１１２及びＲＮＣ１１４）には最小限の変更しか必要でなく、そのようなネットワーク要素が動作する既存の規格に変更は必要でない。さらに、そのような実施例では、コンテンツを受信するユーザ端末に関連するバッテリの消費が最小化され、他のユーザ端末への影響が最小化され、ネットワーク性能全体が改善される（例えば、下位層情報を用いてＴＣＰ性能が強化され、十分使われていないバックホールリソースが利用され、他のネットワーク性能の改善が実現される）。
【００４８】
図３に示すように、（図３の通信ネットワーク３３０として図示される）一実施例では、ＣＩＭＳ１６０はＵＷＮ１１０のＲＮＣ１１４で（ＲＮＣ１１４でのソフトウェア及び記憶装置として）実施され得る。そのような実施例では、コンテンツはルーティングエリア内のいずれかにあるユーザ端末に送信され、ＲＮＣ１１４には変更は必要ないが、他の既存のネットワーク要素（例えば、ＢＳ１１２）には最小限の変更しか必要でなく、そのようなネットワーク要素が動作する既存の規格に変更は必要ない。さらに、そのような実施例では、コンテンツを受信するユーザ端末に関連するバッテリの消費が最小化され、他のユーザ端末への影響が最小化され、ネットワーク性能全体が改善される（例えば、下位層情報を用いてＴＣＰ性能が強化され、十分使われていないバックホールリソースが利用され、他のネットワーク性能の改善が実現される）。
【００４９】
図３に示すように、（図３の通信ネットワーク３４０として図示する）一実施例では、ＣＩＭＳ１６０はＵＷＮ１１０のＵＢＳ１１２で（ＵＢＳ１１２のソフトウェア及び記憶装置として）実施され得る。そのような実施例では、最適なユーザ経験が達成され（例えば、コンテンツを受信するユーザ端末に関連するバッテリの消費が最小化され、状態情報のより細かい粒度を活かすことによって他のユーザ端末への影響が最小化され）、ネットワーク性能全体が改善されるが、そのような実施例は複雑な移動管理をもたらし得る（例えば、リクエストされたコンテンツがユーザ端末によって完全に受信される前にユーザがセルラ領域から離れるかもしれない）。
【００５０】
特定の実施シナリオに関してここに図示及び記載したが、種々の他の実施シナリオが本発明に従って利用され得る。ある実施例では、ＣＩＭＳ１６０は複数のネットワークに亘って実装され得る（例えば、ＣＩＭＳ１６０の機能の第１の部分がＣＤＮ１４０内に実装され、ＣＩＭＳ１６０の機能の第２の部分がＵＷＮ１１０内に実装され得る）。ある実施例では、ＣＩＭＳ１６０は複数のネットワーク部材に亘って（ネットワーク内及びネットワーク間の両方で）実装され得る。例えば、一実施例では、ＣＩＭＳ１６０の機能のサポートに必要なソフトウェア及び記憶装置の種々の組合せが異なるネットワーク部材に亘って実装されるように、ＣＩＭＳ１６０がＲＮＣ１１４及びＵＢＳ１１２に亘って分散され得る。
【００５１】
特定のタイプのユニキャスト無線ネットワーク（例示としてＥＶＤＯユニキャスト無線ネットワーク）及び特定のタイプのブロードキャストネットワーク（例示としてＭｅｄｉａＦＬＯブロードキャスト無線ネットワーク）を用いるものとして主に図示及び記載したが、本発明のコンテンツインタラクションサービス機能は、種々の他のタイプのユニキャスト無線ネットワーク及びブロードキャスト無線ネットワークを用いて実施され得る。例えば、本発明のコンテンツインタラクションサービス機能は他のユニキャスト無線ネットワーク及び／又は他のブロードキャスト無線ネットワークその他これらの組合せを用いて実施され得る。
【００５２】
一実施例では、例えば、ユニキャスト無線ネットワークはユニバーサル移動体通信システム（ＵＭＴＳ）無線ネットワーク、汎用パケット無線サービス（ＧＰＲＳ）無線ネットワーク等であればよい。一実施例では、例えば、ブロードキャスト無線ネットワークはマルチメディア・ブロードキャスト・マルチキャスト・サービス（ＭＢＭＳ）ネットワーク、デジタル・マルチメディア・ブロードキャスティング（ＤＭＢ）ネットワーク等であればよい。個別のネットワークとして主に図示及び記載したが、一実施例ではユニキャスト及びブロードキャスト無線ネットワークはブロードキャスト及びマルチキャストサービス（ＢＣＭＣＳ）無線ネットワーク等のネットワークのように統合されていてもよい。そのような一実施例では、例えば、ＵＢＳ１１２及びＢＢＳ１２２は共に配置される。
【００５３】
ここに記載するように本発明は３ＧＰＰベースのＥＶＤＯユニキャスト無線ネットワークを用いた実施に限定されないので、ここではサービスパラメータがＵＢＳ、ＲＮＣ及びＰＤＳＮから得られる３ＧＰＰベースのＥＶＤＯユニキャスト無線ネットワークの流れの範囲内で主に図示及び記載するが、サービスパラメータは、そのようなサービスパラメータが入手できるあらゆるネットワーク部材から取得できる。例えば、ＵＭＴＳ及びＧＰＲＳ無線ネットワークにおいて、サービスパラメータはサービングＧＰＲＳサポートノード（ＳＧＳＮ）及び／又はゲートウェイＧＰＲＳサポートノード（ＧＧＳＮ）部材から取得できる。もっとも、そのような部材は異なる無線ネットワークで異なる機能を実行することがよくあるので、そのような部材から入手できる情報は無線ネットワークのタイプによって変わる。従って、コンテンツインタラクションサービスを提供するのに使用されるサービスパラメータはそのようなサービスパラメータのあらゆるソースから取得できる。
【００５４】
図４はここに記載した機能を実行する際の使用に適した汎用コンピュータの上位ブロック図を示す。図４に示すように、システム４００はプロセッサ要素４０２（例えば、ＣＰＵ）、メモリ４０４（例えば、ランダムアクセスメモリ（ＲＡＭ）及び／又は読取り専用メモリ（ＲＯＭ））、コンテンツインタラクションサービス管理モジュール４０５、及び種々の入力／出力装置４０６（例えば、限定するわけではないが、テープドライブ、フロッピー（登録商標）ドライブ、ハードディスクドライブ又はコンパクトディスクドライブ等の記憶装置、受信機、送信機、スピーカ、ディスプレイ、出力ポート、及びユーザ入力装置（キーボード、キーパッド、マウス、スピーカ等））を備える。
【００５５】
本発明は、例えば、特定用途向け集積回路（ＡＳＩＣ）、汎用コンピュータ又は任意の他のハードウェア同等物を用いて、ソフトウェア及び／又はソフトウェアとハードウェアの組合せにおいて実施できる。一実施例では、本コンテキストインタラクションサービス管理プロセス４０５はメモリ４０４に配置されて、上述のような機能を実施するためにプロセッサ４０２によって実行されることができる。このように、本発明のコンテンツインタラクションサービス管理プロセス４０５（関連のデータ構造体も含む）はコンピュータ可読媒体又はキャリア、例えば、ＲＡＭメモリ、磁気又は光ドライブ又はディスケット等に記憶されることができる。
【００５６】
ソフトウェアの方法としてここに記載したステップの幾つかはハードウェア内に、例えば、種々の方法ステップを実行するプロセッサと協働する回路として実装され得ることが分かる。本発明の一部はコンピュータプログラム製品として実施されることができ、その場合、コンピュータインストラクションが（コンピュータによって処理されるときに）、本発明の方法及び／又は技術が発動され或いは提供されるようにコンピュータの動作を適合させる。進歩的な方法を発動するためのインストラクションは固定の又は取外し可能な媒体に記憶され、ブロードキャストでのデータストリーム又は他の信号搬送媒体を介して伝送され、及び／又はインストラクションに従って動作中の演算装置内の稼動中のメモリ内に記憶される。
【００５７】
本発明の教示を取り込む種々の実施例が開示され、ここに詳細に記載されたが、当業者であれば、これらの教示をなおも取り入れる多数の他の変形実施例を容易に考案することができる。
【図１】
2010524337.tif 000003
【図２】
2010524337.tif 000004
【図３】
2010524337.tif 000005
【図４】
2010524337.tif 000006
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
無線通信システムにおいてインタラクティブサービスを提供するための方法であって、
無線ユーザ端末において提示されたコンテンツとのユーザによる対話を示すコンテンツインタラクション情報を受信するステップであって、該コンテンツがブロードキャスト無線ネットワークを介して該無線ユーザ端末に向けて提供され、前記コンテンツインタラクション情報がユニキャスト無線ネットワークを介して受信される、ステップ、
該ユーザに関連付けられた少なくとも１つのサービスパラメータを取得するステップ、及び
該インタラクティブサービスを、該コンテンツインタラクション情報及び該少なくとも１つのサービスパラメータを用いて提供するステップであって、該ユニキャスト無線ネットワーク及び該ブロードキャスト無線ネットワークの少なくとも一方を用いて該サービスが提供される、ステップ
を備える方法。
【請求項２】
請求項１の方法において、前記少なくとも１つのサービスパラメータを取得するステップが、
前記コンテンツインタラクション情報の少なくとも一部を用いて前記インタラクティブサービスを識別するステップ、
識別された該インタラクティブサービスに基づいて該少なくとも１つのサービスパラメータを識別するステップ、及び
識別された該少なくとも１つのサービスパラメータを取得するステップ
からなる方法。
【請求項３】
請求項１の方法において、前記インタラクティブサービスを提供するステップが、
前記コンテンツインタラクション情報からのユーザ選択を識別するステップ、
ユーザ選択集計を形成するために該ユーザ選択を他のユーザ端末に関連付けられた他のユーザ選択と集約するステップ、
該ユーザ選択集計を、前記ブロードキャスト無線ネットワークを介して該ユーザ端末に提供されたブロードキャストコンテンツと組み合わせるステップ、及び
組み合わされた該コンテンツを、該ブロードキャスト無線ネットワークを用いて該ユーザ端末に伝達するステップ
からなる方法。
【請求項４】
請求項１の方法において、前記インタラクティブサービスを提供するステップが、
ユーザ生成コンテンツを前記コンテンツインタラクション情報から抽出するステップ、及び
該ユーザ生成コンテンツを前記ブロードキャスト無線ネットワークを介して提供するステップ
からなる方法。
【請求項５】
請求項１の方法において、前記インタラクティブサービスを提供するステップが、
前記コンテンツインタラクション情報及び前記少なくとも１つのサービスパラメータを用いて、個人化されたコンテンツを識別するステップであって、該少なくとも１つのサービスパラメータが前記無線ユーザ端末の位置からなる、ステップ、及び
該個人化されたコンテンツを、前記ユニキャスト無線ネットワークを用いて該無線ユーザ端末に向けて提供するステップ
からなる方法。
【請求項６】
無線通信システムにおいてインタラクティブサービスを提供するための装置であって、
無線ユーザ端末において提示されたコンテンツとのユーザによる対話を示すコンテンツインタラクション情報を受信する手段であって、該コンテンツがブロードキャスト無線ネットワークを介して該無線ユーザ端末に向けて提供されるものであり、前記コンテンツインタラクション情報がユニキャスト無線ネットワークを介して受信されるものである、手段、
該ユーザに対応付けられた少なくとも１つのサービスパラメータを取得する手段、及び
該インタラクティブサービスを、該コンテンツインタラクション情報及び該少なくとも１つのサービスパラメータを用いて提供する手段であって、該ユニキャスト無線ネットワーク及び該ブロードキャスト無線ネットワークの少なくとも一方を用いて該サービスが提供されるものである、手段
を備える装置。
【請求項７】
請求項６の装置において、前記少なくとも１つのサービスパラメータを取得する手段が、
前記コンテンツインタラクション情報の少なくとも一部を用いて前記インタラクティブサービスを識別する手段、
識別された該インタラクティブサービスに基づいて該少なくとも１つのサービスパラメータを識別する手段、及び
識別された該少なくとも１つのサービスパラメータを取得する手段
からなる装置。
【請求項８】
請求項６の装置において、前記インタラクティブサービスを提供する手段が、
前記コンテンツインタラクション情報からのユーザ選択を識別する手段、
ユーザ選択集計を形成するために該ユーザ選択を他のユーザ端末に関連付けられた他のユーザ選択と集約する手段、
該ユーザ選択集計を、前記ブロードキャスト無線ネットワークを介して該ユーザ端末に提供されたブロードキャストコンテンツと組み合わせる手段、及び
組み合わされた該コンテンツを、該ブロードキャスト無線ネットワークを用いて該ユーザ端末に伝達する手段
からなる装置。
【請求項９】
請求項６の装置において、前記インタラクティブサービスを提供する手段が、
前記コンテンツインタラクション情報及び前記少なくとも１つのサービスパラメータを用いて、個人化されたコンテンツを識別する手段であって、該少なくとも１つのサービスパラメータが前記無線ユーザ端末の位置からなるものである、手段、及び
該個人化されたコンテンツを、前記ユニキャスト無線ネットワークを用いて該無線ユーザ端末に向けて提供する手段
からなる装置。
【請求項１０】
ソフトウェアプログラムを記憶するコンピュータ可読媒体であって、コンピュータによって実行されるときに該コンピュータに、
無線ユーザ端末において提示されたコンテンツとのユーザによる対話を示すコンテンツインタラクション情報を受信するステップであって、該コンテンツがブロードキャスト無線ネットワークを介して該無線ユーザ端末に向けて提供され、前記コンテンツインタラクション情報がユニキャスト無線ネットワークを介して受信される、ステップ、
少なくとも１つのサービスパラメータを取得するステップ、及び
該インタラクティブサービスを、該コンテンツインタラクション情報及び該少なくとも１つのサービスパラメータを用いて提供するステップであって、該ユニキャスト無線ネットワーク及び該ブロードキャスト無線ネットワークの少なくとも一方を用いて該インタラクティブサービスが提供される、ステップ
からなる、無線通信システムにおいてインタラクティブサービスを提供する方法を実行させるソフトウェアプログラムを記憶するコンピュータ可読媒体。
【国際調査報告】
2010524337.tif 000007
2010524337.tif 000008